(57)【要約】【課題】ポータブル音楽機器、および、プログラムを提供する。【解決手段】本願発明のポータブル音楽機器１００は、左キー１１２、右キー１１３が押圧される強弱によって、第一の状態と第二の状態を取り得る操作部１０２を有する。この操作部１０２における左キー１１２又は右キー１１３を第１の押圧で押操作されたことに応答して、楽曲データが記憶される階層型のファイル構造の階層内において、処理対象となるカレントディレクトリを一つ上位又は一つ下位の階層に移動させる。また、左キー１１２又は右キー１１３を第二の押圧で押操作されたことに応答して、処理対象となるカレントディレクトリを末端の階層に移動させる。これにより、操作部１０２の操作釦の小型化・増加をせずに、操作釦の押下に対する応答を悪化させず、階層型のファイル構造の階層内を行き来する操作に係る操作性を向上させる。【選択図】図１
2007133681.tif 000002
【特許請求の範囲】
【請求項１】
階層型のファイル構造で音楽データを記憶する記憶手段を備え、
第一の状態と第二の状態を取る操作部を有する操作手段と、
前記操作部が前記第一の状態であるか前記第二の状態であるかを識別する識別手段と、
前記識別手段が前記操作部が前記第一の状態であると識別した場合に、前記ファイル構造における処理対象とする階層順位を一つ移動させる一階層移動手段と、
前記識別手段が前記操作部が前記第二の状態であると識別した場合に、前記ファイル構造における処理対象とする階層順位を二階層以上移動させる多階層移動手段と、
を備えることを特徴とするポータブル音楽機器。
【請求項２】
前記多階層移動手段は、
前記ファイル構造における処理対象とする階層順位を二階層以上移動させた後に、前記音楽データを再生する手段と、
を備えることを特徴とする請求項１に記載のポータブル音楽機器。
【請求項３】
前記操作手段は、
前記操作部を二つ備え、
前記識別手段が一の前記操作部が前記第一の状態であると識別した場合に、前記ファイル構造における処理対象とする階層順位を一つ上位に移動させる一階層上位移動手段と、
前記識別手段が一の前記操作部が前記第二の状態であると識別した場合に、前記ファイル構造における処理対象とする階層順位を二階層以上上位に移動させる多階層上位移動手段と、
前記識別手段が別の一の前記操作部が前記第一の状態であると識別した場合に、前記ファイル構造における処理対象とする階層順位を一つ下位に移動させる一階層下位移動手段と、
前記識別手段が別の一の操作部が前記第二の状態であると識別した場合に、前記ファイル構造における処理対象とする階層順位を二階層以上下位に移動させる多階層下位移動手段と、
を備えることを特徴とする請求項１に記載のポータブル音楽機器。
【請求項４】
前記多階層下位移動手段は、
前記ファイル構造における処理対象とする階層順位を二階層以上移動させた後に、前記音楽データを再生する手段と、
を備えることを特徴とする請求項３に記載のポータブル音楽機器。
【請求項５】
階層型のファイル構造で音楽データを記憶する記憶手段と、
第一の状態と第二の状態を取る操作部を有する操作手段と、
を備えるコンピュータに、
前記操作部が前記第一の状態であるか前記第二の状態であるかを識別する識別手順と、
前記識別手順で前記操作部が前記第一の状態であると識別した場合に、前記ファイル構造における処理対象とする階層順位を一つ移動させる一階層移動手順と、
前記識別手順で前記操作部が前記第二の状態であると識別した場合に、前記ファイル構造における処理対象とする階層順位を二階層以上移動させる多階層移動手順と、
を実行させるプログラム。
【発明の詳細な説明】
【技術分野】
【０００１】
本発明は、ポータブル音楽機器、および、プログラムに関する。
【背景技術】
【０００２】
近年のコンパクトディスクプレーヤーや、ハードディスク内蔵ポータブルオーディオプレイヤーなどの、ポータブル型のデータ再生装置は、楽曲データ等を記憶するハードディスク装置等を備えるようになってきた。そして、ハードディスク装置等の記憶媒体の記憶容量は、近年、著しく増加してきている。
【０００３】
これに伴い、ポータブル型のデータ再生装置の記憶媒体に記憶されるデータの数や種類は増加し、それらのデータを分類・管理する必要がでてきた。
【０００４】
ポータブル型のデータ再生装置の記憶媒体に記憶される楽曲データは、階層型のファイル構造によって分類・管理される場合が多い。ユーザは再生する楽曲データを選択・再生するために、階層型のファイル構造によって分類・管理される階層内を行き来する操作を行う。しかし、記憶媒体の大容量化に伴い記憶される楽曲データ数が膨大になってきたために、それらの楽曲データを分類するための階層数も増加してきた。そのため、ユーザが、所望の楽曲データを選択するために行う操作は、非常に煩雑になってきている。
【０００５】
さらに、ポータブル型のデータ再生装置は、近年、著しく小型化され、そのデータ再生装置に配置される操作釦も小型化されてきている。そのため、ユーザは、小型化された操作釦に対して、非常に煩雑な操作を行わなければならない。
【０００６】
このような問題を解決するものとして、データ再生装置に配置された操作釦の押圧時間を計時し、計時された時間が任意の一定時間を超えたか否かを判定することができる操作モード制御装置などが開示されている（例えば特許文献１参照）。これにより、一つの操作釦で複数の操作が可能となり、操作釦の小型化・増加をしなくてもよい。
【特許文献１】特公平０６−１０１１９０号公報
【発明の開示】
【発明が解決しようとする課題】
【０００７】
しかしながら、上述の操作モード制御装置は、操作釦の押圧時間を計時するので、押圧時間を計時しない装置と比較して、操作釦の押下に対する応答が悪い。
【０００８】
本発明は、上記実状に鑑みてなされたものであり、操作釦の小型化・増加をせずに、操作釦の押下に対する応答を悪化させず、階層型のファイル構造によって分類・管理される階層内を行き来する操作に係る操作性を向上させるポータブル音楽機器、及び、プログラムを提供することを目的とする。
【課題を解決するための手段】
【０００９】
上記目的を達成するため、本発明の第１の観点に係るポータブル音楽機器は、
階層型のファイル構造で音楽データを記憶する記憶手段を備え、
第一の状態と第二の状態を取る操作部を有する操作手段と、
前記操作部が前記第一の状態であるか前記第二の状態であるかを識別する識別手段と、
前記識別手段が前記操作部が前記第一の状態であると識別した場合に、前記ファイル構造における処理対象とする階層順位を一つ移動させる一階層移動手段と、
前記識別手段が前記操作部が前記第二の状態であると識別した場合に、前記ファイル構造における処理対象とする階層順位を二階層以上移動させる多階層移動手段と、
を備えることを特徴とする。
【００１０】
また、前記ポータブル音楽機器において、
前記多階層移動手段は、
前記ファイル構造における処理対象とする階層順位を二階層以上移動させた後に、前記音楽データを再生する手段と、
を備えることを特徴とするようにしてもよい。
【００１１】
さらに、前記ポータブル音楽機器において、
前記操作手段は、
前記操作部を二つ備え、
前記識別手段が一の前記操作部が前記第一の状態であると識別した場合に、前記ファイル構造における処理対象とする階層順位を一つ上位に移動させる一階層上位移動手段と、
前記識別手段が一の前記操作部が前記第二の状態であると識別した場合に、前記ファイル構造における処理対象とする階層順位を二階層以上上位に移動させる多階層上位移動手段と、
前記識別手段が別の一の前記操作部が前記第一の状態であると識別した場合に、前記ファイル構造における処理対象とする階層順位を一つ下位に移動させる一階層下位移動手段と、
前記識別手段が別の一の操作部が前記第二の状態であると識別した場合に、前記ファイル構造における処理対象とする階層順位を二階層以上下位に移動させる多階層下位移動手段と、
を備えることを特徴とするようにしてもよい。
【００１２】
また、前記ポータブル音楽機器において、
前記多階層下位移動手段は、
前記ファイル構造における処理対象とする階層順位を二階層以上移動させた後に、前記音楽データを再生する手段と、
を備えることを特徴とする。
【００１３】
さらに、上記目的を達成するため、本発明の第２の観点に係るプログラムは、
階層型のファイル構造で音楽データを記憶する記憶手段と、
第一の状態と第二の状態を取る操作部を有する操作手段と、
を備えるコンピュータに、
前記操作部が前記第一の状態であるか前記第二の状態であるかを識別する識別手順と、
前記識別手順で前記操作部が前記第一の状態であると識別した場合に、前記ファイル構造における処理対象とする階層順位を一つ移動させる一階層移動手順と、
前記識別手順で前記操作部が前記第二の状態であると識別した場合に、前記ファイル構造における処理対象とする階層順位を二階層以上移動させる多階層移動手順と、
を実行させる。
【発明の効果】
【００１４】
本発明のポータブル音楽機器によれば、操作釦の小型化・増加をせずに、操作釦の押下に対する応答を悪化させず、階層型のファイル構造によって分類・管理される階層内を行き来する操作に係る操作性を向上させる。
【発明を実施するための最良の形態】
【００１５】
以下、本発明の最良の実施の形態を図面を参照して説明する。
【００１６】
この発明の実施形態に係るポータブル音楽機器１００の一例を示すブロック図を図１に示す。このポータブル音楽機器１００は、記憶部１０３に記憶されたデータ（例えば、ＭＰ３（MPEG1 Audio Layer-3）等の楽曲データ）を再生可能な機器であり、操作部１０２と、記憶部１０３と、制御部１０１と、表示部１０４と、端子１２１と、イヤホン１２２と、から構成される。ユーザは、再生された楽曲を、イヤホン１２２を介して聴くことができる。
【００１７】
操作部１０２は、所定のボタンキーや、ロータリーキー等からなり、ユーザの操作に従った指示情報等を入力する。例えば、操作部１０２は、左キー１１２、右キー１１３、上キー１１４と、決定キー１１５、下キー１１６と、を備える。ここで、左キー１１２及び右キー１１３は、物理的に２段階に押すことの可能な２重タクトキーである。この２重タクトキーの第一段目の押しと、第二段目の押しとはタクトキーに接続された抵抗分圧回路を用いて別々のアナログ信号を発生する。
【００１８】
前記２重タクトキーに接続された抵抗分圧回路の構成について、図２を参照して説明する。抵抗分圧回路は、抵抗Ｒ１と、抵抗Ｒ２と、抵抗Ｒ３と、抵抗Ｒ４と、スイッチＳ１と、スイッチＳ２と、から構成される。スイッチＳ１は前記２重タクトキーの第１段目の押しでオンになり（以後、弱押しと呼ぶ）、スイッチＳ２は、前記２重タクトキーの第２段目の押しでオンになる（以後、強押しと呼ぶ）。
【００１９】
タクトキーが押されていない時、出力電圧Ｖｏｕｔは（Ｒ２／（Ｒ１＋Ｒ２））×電源電圧Ｖｃｃとなっている。左キー１１２と、右キー１１３とは、それぞれ異なる抵抗値を持つ抵抗Ｒ２、Ｒ３、Ｒ４を備える。前記２重タクトキーの第１段目の押しによって、出力電圧Ｖｏｕｔは（（Ｒ２／／Ｒ３））／（Ｒ１＋（Ｒ２／／Ｒ３）））×電源電圧Ｖｃｃとなる。さらに、前記２重タクトキーの第２段目の押しによって、出力電圧Ｖｏｕｔは（（Ｒ２／／（Ｒ３＋Ｒ４））／（Ｒ１＋Ｒ２／／（Ｒ３＋Ｒ４）））×電源電圧Ｖｃｃとなるように構成される。これにより、抵抗分圧回路は、タクトキーの第１段目の押しと、第２段目の押しと、で異なる出力電圧Ｖｏｕｔを制御部１０１に供給できる。
ここで、Ａ／／Ｂの記号は、抵抗Ａと抵抗Ｂが並列に接続されたときの合成抵抗の値を求めることを意味する。
【００２０】
また、上キー１１４と、決定キー１１５と、下キー１１６とに接続された抵抗分圧回路の構成について、図３を参照して説明する。抵抗分圧回路は、抵抗Ｒ１と、抵抗Ｒ５と、抵抗Ｒ６と、スイッチＳ３と、から構成される。前記２重タクトキーと異なる点は、地面に接地され、直列につながれたスイッチと抵抗が一つずつだけ取り付けられ、物理的に１段階にしか押すことができない点である。また、上キー１１４と、決定キー１１５と、下キー１１６とで異なる抵抗値を持つ抵抗Ｒ５、Ｒ６を備えるのも同様である。
【００２１】
以上の図２、図３の抵抗分圧回路によって、操作部１０２の各キー（左キー１１２の弱押し・強押し、右キー１１３の弱押し・強押し）の操作は、異なる出力電圧Ｖｏｕｔを出す。出力電圧Ｖｏｕｔは、操作部１０２から出力されて、Ａ／Ｄコンバータ１０９に入力される。
【００２２】
図１に戻って、記憶部１０３は、ハードディスク等の記憶装置で構成される。記憶部１０３は、楽曲データ等のデータに加えて、楽曲データ等のファイル構造を規定する階層情報等が記憶されている。例えば、楽曲データ等が図４に示すようなファイル構造から構成され、共通のジャンル名をメタ情報にもつ楽曲データは、階層構造の階層１に該当するフォルダに一括され、共通のアーティスト名をメタ情報にもつ楽曲データは、階層構造の階層２に該当するフォルダに一括して記憶される。また、階層毎に対応させるメタ情報は任意であり、階層３に該当するフォルダにアーティスト名やアルバム名をメタ情報にもつ楽曲データを記憶するようにしてもよい。
【００２３】
また、この階層情報は、図５（Ａ）に示すようなフォルダテーブル４０１と、図５（Ｂ）に示すようなデータ管理テーブル４０２と、で構成される。
図５（Ａ）に示すフォルダテーブル４０１は、記憶部１０３に記憶されたデータを収容するフォルダ、つまり、階層構造のデータの管理単位となるフォルダのうち、現在実行対象とする一つのフォルダ（カレントフォルダ）内のデータを管理するためのテーブルである。具体的には、フォルダテーブル４０１には、カレントフォルダ内に属する複数のフォルダ、又は、楽曲データを識別するためのデータ番号、及び、フォルダ・ファイル名が記憶される。
【００２４】
例えば、図４のようなファイル構造において、カレントフォルダがフォルダ（１：２）であれば、フォルダテーブル４０１には、フォルダ（１：２：１）、フォルダ（１：２：２）等のデータ番号と、それに対応するフォルダ名が記憶される。また、カレントフォルダがフォルダ（１：２：１）であれば、図６（Ａ）に示すように、フォルダテーブル４０１には、データ００１、データ００２等のデータ番号と、それに対応するファイル名が記憶される。
【００２５】
一方、図５（Ｂ）に示すデータ管理テーブル４０２は、選択・再生対象の楽曲データを管理するためのテーブルである。具体的には、データ管理テーブル４０２には、カレントフォルダのデータ番号を特定するカレントフォルダ番号と、カレントフォルダが位置する階層順位（階層の深さ）を示す階層番号と、カレントフォルダ内の選択・再生対象となる１つのデータを特定するデータ番号と、カレントフォルダ内に属するデータの総数を示す総データ数と、を記憶する。
【００２６】
例えば、図４のようなファイル構造において、カレントフォルダがフォルダ（１：１）であれば、階層番号は「００２」、総データ数は「００２」となる。また、カレントフォルダがフォルダ（１：２：１）であれば、図６（Ｂ）に示すように、階層番号は「００３」、総データ数は「００６」等となる。
【００２７】
図１に戻って、制御部１０１は、例えばＣＰＵ（Central Processing Unit）１０５、割り込みコントローラ１０８、Ａ／Ｄコンバータ１０９、ＲＡＭ（Random Access Memory）１０７、ＲＯＭ（Read Only Memory）１０６、音声信号出力部１１１、及び、信号増幅器１１０等から構成されており、ＣＰＵ１０５がＲＯＭ１０６に格納された各種プログラム（再生制御プログラム１１７、階層移動プログラム１１８、キーコード処理アプリケーション１１９、キー処理ドライバ１２０等）を適宜実行することによって、ポータブル音楽機器１００の動作を制御する。
【００２８】
割り込みコントローラ１０８は、ＣＰＵ１０５と操作部１０２との間に接続され、操作部１０２からの割り込み要求を受け、ＣＰＵ１０５に割り込み要求信号を発生させる。
【００２９】
Ａ／Ｄコンバータ１０９は、操作部１０２から供給されたアナログ信号をディジタル信号に変換して出力する。
【００３０】
また、ＲＡＭ１０７は、ＣＰＵ１０５がプログラムを実行する際、ワークメモリとして用いられるものである。
【００３１】
ＲＯＭ１０６は、読み出し専用の記憶装置である。ＲＯＭ１０６は、上述した再生制御プログラム１１７、階層移動プログラム１１８、キーコード処理アプリケーション１１９、キー処理ドライバ１２０等の書き換える必要のない情報（プログラム）を記憶する。
【００３２】
再生制御プログラム１１７は、操作部１０２からの指示信号に基づいて、記憶部１０３に記憶された楽曲データをＲＡＭ１０７にロードし、再生するためのプログラムである。具体的には、ＲＡＭ１０７に楽曲データをロードし、この楽曲データを、例えば、ＭＰ３デコーダ（図示せず）に供給して復号し、さらに、音声信号出力部１１１に供給して、音声データ（アナログ信号）を信号増幅器１１０に出力させる。
【００３３】
階層移動プログラム１１８は、操作部１０２からの指示信号に基づいて、図４に示す階層構造の階層内を移動するためのプログラムである。具体的には、操作部１０２からの指示信号に基づいて、図５（Ｂ）に示すデータ管理テーブル４０２のカレントフォルダ番号を変更することで、図４に示す階層構造の階層内を移動する。
【００３４】
また、階層移動プログラム１１８は、図４に示す階層構造の階層内を移動したときに、表示部１０４に表示させる画面を切り替える。切り替える画面の順番は、階層構造の階層順位に依存し、例えば、図７に示すような順番で切り替える。楽曲データを再生していないときは、図８（Ａ）に示すようなホーム画面を表示部１０４に表示させておく。操作部１０２からの階層を移動させる指示信号に基づいて、表示部１０４に表示させる画面を、ジャンル画面や、アーティスト画面等といった所定の画面に切り替える。そして、階層移動プログラム１１８は、前述したフォルダ管理テーブル４０１、データ管理テーブル４０２に応じて、各画面上の適切な位置にフォルダ・ファイル名や、ハイライトを表示させる。具体的には、フォルダテーブル４０１に記憶されたフォルダ・ファイル名を表示部１０４の所定の表示領域に表示させる。また、データ管理テーブル４０２のデータ番号で指定したデータを表示している表示領域をハイライトさせる。
【００３５】
キー処理ドライバ１２０は、ＣＰＵ１０５が後述するキーコード処理アプリケーション１１９にキーコードを供給するための橋渡しを行う。具体的には、操作部１０２を介してユーザから入力される指示情報（アナログ信号）を、一度Ａ／Ｄコンバータ１０９を通して入力されたディジタル信号からキーコードを生成し、これをＣＰＵ１０５に供給する。
【００３６】
キーコード処理アプリケーション１１９には、キー処理ドライバ１２０によって生成されたキーコードが供給され、供給されたキーコードに基づいてキー入力による処理を決定し、これをＣＰＵ１０５に供給する。これによって、操作部１０２における、ユーザの別々の操作に対応した動作が実行される。具体的には、上記した操作部１０２、Ａ／Ｄコンバータ１０９、再生制御プログラム１１７、階層移動プログラム１１８、キー処理ドライバ１２０、キーコード処理アプリケーション１１９、及びＣＰＵ１０５が協働することによって、図４に示すような階層型のファイル構造で規定される階層内を効率良く行き来する。
【００３７】
より詳しく説明すると、操作部１０２を介してユーザから入力される指示情報（アナログ信号）は、前述したように、タクトキー毎に区別された、出力電圧Ｖｏｕｔである。そして、キー処理ドライバ１２０は、これらの異なる出力電圧Ｖｏｕｔ毎に、Ａ／Ｄコンバータ１０９を介して異なるディジタル信号を割り当て、これを操作に対応したキーコードとして、ＣＰＵ１０５を介してキーコード処理アプリケーション１１９に供給する。例えば、左キー１１２がユーザにより強押しされた場合、「０１０」というキーコードを供給し、左キー１１２がユーザに弱押しされた場合、「０１１」というキーコードを供給するようにしてもよい。
【００３８】
音声信号出力部１１１は、記憶部１０３から読み出した音楽データをアナログ信号に変換して出力するＤ／Ａコンバータから構成される。
【００３９】
信号増幅器１１０は、記憶部１０３から音声信号出力部１１１に読み出した音楽データ（アナログ信号）を、指定された増幅率で増幅して端子１２１を介してイヤホン１２２に出力するアナログ回路である。
【００４０】
表示部１０４は、蛍光表示管（ＶＦＤ：Vacuum Fluorescent Display）や液晶モニタ（ＬＣＤ：Liquid Crystal Display）等のフラットパネルディスプレイから構成され、制御部１０１に制御され、操作状況等をユーザに明らかにするための文字列等を表示する。また、表示部１０４は、階層移動プログラム１１８に従って処理するＣＰＵ１０５からの信号に基づいて、例えば、ホーム画面、ジャンル画面、アーティスト画面、トラック画面、再生画面といった所定の画面を表示する。
【００４１】
ホーム画面、ジャンル画面、アーティスト画面、トラック画面、再生画面は図８に示すような画面である。図８（Ａ）に示すホーム画面は、ジャンル名、アーティスト名、アルバム名等の選択項目を表示する画面である。図８（Ｂ）に示すアーティスト画面は、アーティスト名の一覧を表示する画面である。図８（Ｃ）に示すアルバム画面は、アルバム名の一覧を表示する画面である。図８（Ｄ）に示すトラック画面は、トラック番号の一覧を表示する画面である。図８（Ｅ）に示す再生画面は、再生中の楽曲データの、曲名、アルバム名、再生時間等を表示する画面である。
【００４２】
以上、本システムの実施形態に係るポータブル音楽機器１００の構成を説明してきた。
【００４３】
次に、上記構成を備える本装置の具体的動作について図９のフローチャートを参照して説明する。図９に示す階層移動処理は、操作部１０２に配置されるキーの押下による割り込み入力によって開始される。
【００４４】
制御部１０１のＣＰＵ１０５は、この割り込み入力があった時に、どのキーが押下されたかを判別する。これは、前述したように、キー処理ドライバ１２０から供給されたキーコードで判別する。
【００４５】
ここで、ＣＰＵ１０５は、押下されたキーが、右キー１１３ではないと判別し（ステップＳ１０１；Ｎｏ）、左キー１１２でもないと判別した場合（ステップＳ１０５；Ｎｏ）、その他の処理に移行して（ステップＳ１０９）、階層移動処理を終了する。
【００４６】
一方、ステップＳ１０１で、右キー１１３が押下されたと判別した場合（ステップＳ１０１；Ｙｅｓ）、ＣＰＵ１０５は、右キー１１３が強押しされたか否かの判別を行う（ステップＳ１０２）。上述の通り、右キー１１３の押下状態は、キー処理ドライバ１２０によって判断される。
【００４７】
強押しでないと判別した場合（ステップＳ１０２；Ｎｏ）、右キー１１３の押下状態は弱押しなので、ＣＰＵ１０５は、処理対象とするカレントディレクトリを一つ下の階層へ移動させる（ステップＳ１０３）。具体的には、ＣＰＵ１０５は、図５（Ｂ）に示すデータ管理テーブル４０２のカレントフォルダ番号をデータ管理テーブル４０２のデータ番号に変更する。そして、ＣＰＵ１０５は、データ管理テーブル４０２の各データを更新する。ただし、図６（Ｂ）に示すように、データ管理テーブル４０２のデータ番号がフォルダではない場合、ＣＰＵ１０５は、再生制御プログラム１１７を起動し、データ番号で指定する楽曲データを再生する。
【００４８】
また、ＣＰＵ１０５は、カレントディレクトリを一つ下の階層へ移動させたとき、表示部１０４に所定の画面を表示する。具体的には、ＣＰＵ１０５は、フォルダテーブル４０１に記憶されたフォルダ・ファイル名を表示部１０４の所定の表示領域に表示させる。
その後、ＣＰＵ１０５は、階層移動処理を終了する。
【００４９】
一方、ステップＳ１０２で、ＣＰＵ１０５は、右キー１１３が強押しされたと判別した場合（ステップＳ１０２；Ｙｅｓ）、処理対象とするカレントディレクトリを最下位の階層へ移動させる（ステップＳ１０４）。具体的には、ＣＰＵ１０５は、図５（Ｂ）に示すデータ管理テーブル４０２のカレントフォルダ番号の末尾に：１を最下位の階層に到達するように追加する。例えば、カレントフォルダ番号がフォルダ（１：２）であるときに、階層３が最下位の階層であれば、カレントフォルダ番号をフォルダ（１：２：１）とする。また、階層４が最下位の階層であれば、カレントフォルダ番号をフォルダ（１：２：１：１）とする。そして、ＣＰＵ１０５は、データ管理テーブル４０２のデータ番号をデータ００１とし、カレントフォルダ内で先頭のデータを選択もしくは再生する。
また、このとき、ＣＰＵ１０５は、図８（Ｅ）に示すように、再生中の楽曲データの、曲名、アルバム名、再生時間等を表示部１０４に表示させ、階層移動処理を終了する。
ただし、楽曲データを再生中に、右キー１１３が押下された場合或いは左キー１１２が押下された場合は、ＣＰＵ１０５は、上記の階層移動処理（ステップＳ１０３、Ｓ１０４、Ｓ１０７、Ｓ１０８）は実行せずに、図８（Ｅ）に示すような、再生中の楽曲データの曲名等を表示部１０４に表示させる。
【００５０】
一方、ステップＳ１０５で、ＣＰＵ１０５は、押下されたキーが、左キー１１２であると判別した場合（ステップＳ１０５；Ｙｅｓ）、ＣＰＵ１０５は、左キー１１２が強押しされたか否かの判別を行う（ステップＳ１０６）。上述の通り、左キー１１２の押下状態は、キー処理ドライバ１２０によって判断される。
【００５１】
強押しでないと判別した場合（ステップＳ１０６；Ｎｏ）、左キー１１２の押下状態は弱押しなので、ＣＰＵ１０５は、処理対象とするカレントディレクトリを一つ上の階層へ移動させる（ステップＳ１０７）。具体的には、ＣＰＵ１０５は、図５（Ｂ）に示すデータ管理テーブル４０２のカレントフォルダ番号の末尾のセミコロンと一桁の数字を取り除く。例えば、カレントフォルダ番号がフォルダ（１：２：１）であるときは、カレントフォルダフォルダ番号をフォルダ（１：２）とする。そして、ＣＰＵ１０５は、データ管理テーブル４０２の各データを更新する。
【００５２】
また、ＣＰＵ１０５は、カレントディレクトリを一つ上の階層へ移動させたとき、表示部１０４に所定の画面を表示する。具体的には、ＣＰＵ１０５は、フォルダテーブル４０１に記憶されたフォルダ・ファイル名を表示部１０４の所定の表示領域に表示させる。
その後、ＣＰＵ１０５は、階層移動処理を終了する。
【００５３】
一方、ステップＳ１０６で、ＣＰＵ１０５は、左キー１１３が強押しされたと判別した場合（ステップＳ１０６；Ｙｅｓ）、処理対象とするカレントディレクトリを最上位の階層へ移動させる（ステップＳ１０８）。具体的には、ＣＰＵ１０５は、図５（Ｂ）に示すデータ管理テーブル４０２のカレントフォルダ番号をフォルダ（）にする。
【００５４】
また、このとき、ＣＰＵ１０５は、図８（Ａ）に示すように、ホーム画面を表示部１０４に表示させ、階層移動処理を終了する。
【００５５】
以上までの階層移動処理により、操作部１０２に配置される左キー１１２、右キー１１３が強押しされた場合に、処理対象となるカレントディレクトリを末端の階層に移動させる。また、左キー１１２、右キー１１３が弱押しされた場合には、処理対象となるカレントディレクトリを一階層移動させる。
【００５６】
ここまでに説明した、階層移動処理が、本実施形態に係るポータブル音楽機器１００の制御部１０１において行われる。これにより、操作釦の小型化・増加をせずに、操作釦の押下に対する応答を悪化させず、階層型のファイル構造によって分類・管理される階層内を行き来する操作に係る操作性を向上させる。
【００５７】
なお、本発明は、上記各実施形態に限定されず、種々の変形、応用が可能である。
【００５８】
例えば、上記実施形態において、左キー１１２或いは右キー１１３の強押しによって、処理対象となるカレントディレクトリを末端の階層に移動させていた。しかしながら、本発明は、これに限定されず、例えば、上キー１１４或いは下キー１１６を二段階で押下可能な二重タクトキーとし、強押しによって、処理対象となるカレントディレクトリを末端の階層に移動させるようにしてもよい。
【００５９】
さらに、上記実施形態において、左キー１１２、右キー１１３は、二段階で押下可能な二重タクトキーとしていた。しかしながら、本発明は、これに限定されず、三段階、四段階と、複数の段階で押下可能な多重タクトキーとしてもよい。この場合、図２に示す抵抗とスイッチの組み合わせを適宜追加し、異なる電圧を出力させるようにすればよい。
【００６０】
また、上記実施形態において、右キー１１３の強押しによって、階層構造の最下位の階層にカレントディレクトリを移行させ、カレントディレクトリ内で先頭の楽曲データを再生するようにしていた。しかしながら、本発明は、これに限定されず、右キー１１３の強押しによって、階層構造の最下位の一つ上位の階層にカレントディレクトリを移行させてもよい。この場合、表示部１０４には、図８（Ｄ）に示すようなトラック画面を表示させるようにする。
【００６１】
さらに、上記実施形態において、階層構造を図４に示すような構造にしていた。しかしながら、本発明は、これに限定されず、任意の階層構造にしてよい。この階層構造に合わせて、左キー１１２、右キー１１３の押下により階層内を移動させる度に表示部１０４に表示させる所定の画面も任意でよい。
【００６２】
さらに、上記実施形態において、ＣＰＵ１０５が実行するプログラムは、予めＲＯＭ１０６に記憶されていた。しかしながら、本発明は、これに限定されず、上述の処理を実行させるためのプログラムを、既存のポータブル音楽装置に適用することで、上記実施形態にかかる制御と同様の制御を実行可能としてもよい。このようなプログラムの提供方法は任意であり、例えば、インターネットなどの通信媒体を介して提供可能である他、例えば、メモリカードなどの記録媒体に格納して配布してもよい。
【図面の簡単な説明】
【００６３】
【図１】本発明の実施形態に係るポータブル音楽機器の構成の一例を示すブロック図である。
【図２】本発明の各実施形態に係る２重タクトキーに接続された抵抗分圧回路の構成を示す回路図である。
【図３】本発明の各実施形態に係るタクトキーに接続された抵抗分圧回路の構成を示す回路図である。
【図４】記憶部に階層化されて記録される楽曲データ等の階層構造の一例を示す図である。
【図５】（Ａ）がフォルダテーブルの一例を示す図であり、（Ｂ）がデータ管理テーブルの一例を示す図である。
【図６】（Ａ）がカレントフォルダの階層順位が最下位のときのフォルダテーブルの一例を示す図であり、（Ｂ）がカレントフォルダの階層順位が最下位のときのデータ管理テーブルの一例を示す図である。
【図７】階層構造の階層内を行き来するときの表示部における表示の順番の例を示す図である。
【図８】階層構造の階層内を行き来するときの表示部における表示例を示す図である。
【図９】本発明の実施形態に係る操作部に配置されたキー押下によるキー入力割り込みによって開始する、階層移動処理を説明するフローチャートである。
【符号の説明】
【００６４】
１００    ポータブル音楽機器
１０１    制御部
１０２    操作部
１０３    記憶部
１０４    表示部
１０５    ＣＰＵ
１０６    ＲＯＭ
１０７    ＲＡＭ
１０８    割り込みコントローラ
１０９    Ａ／Ｄコンバータ
１１０    信号増幅器
１１１    音声信号出力部
１１２    左キー（二重タクトキー）
１１３    右キー（二重タクトキー）
１１７    再生制御プログラム
１１８    階層移動プログラム
１１９    キーコード処理アプリケーション
１２０    キー処理ドライバ
１２１    端子
１２２    イヤホン
４０１    フォルダテーブル
４０２    データ管理テーブル
【図１】
2007133681.tif 000003
【図２】
2007133681.tif 000004
【図３】
2007133681.tif 000005
【図４】
2007133681.tif 000006
【図５】
2007133681.tif 000007
【図６】
2007133681.tif 000008
【図７】
2007133681.tif 000009
【図８】
2007133681.tif 000010
【図９】
2007133681.tif 000011